(57)【要約】      （修正有）【課題】ラックどうしの連結固定をより安定して行えるラック固定ベルトを提供する。【解決手段】隣接配置されるラックそれぞれの枠材１１、１１を一体に締め付け固定するラック固定ベルト１であり、枠材１１、１１に当接する側の面に滑り止め片７が一体に取り付けられてなる。【選択図】図４
0003175811.tif 000002
【実用新案登録請求の範囲】
【請求項１】
隣接配置されるラックそれぞれの枠材を一体に締め付け固定するラック固定ベルトであり、前記枠材に当接する側の面に滑り止め片が一体に取り付けられてなることを特徴とするラック固定ベルト。
【請求項２】
前記滑り止め片が弾力性プレートよりなる請求項１記載のラック固定ベルト。
【請求項３】
前記滑り止め片が磁石性能を持つものである請求項２記載のラック固定ベルト。
【請求項４】
隣接配置されるラックそれぞれの鉄製の枠材を一体に締め付け固定するラック固定ベルトであり、その一部に磁石片が一体に取り付けられてなることを特徴とするラック固定ベルト。
【考案の詳細な説明】
【技術分野】
【０００１】  この考案は、並設されるラックの固定を行うように使用されるラック固定ベルトの改良に関する。
【背景技術】
【０００２】  倉庫内等においては多数のラックが並設されて用いられているが、揺れの大きい地震が発生した場合にはそれらラックが移動したり倒れたりし、荷崩れが発生するとともに作業者は非常に危険な状態となる。したがって、従来からラックどうしをベルトにより連結固定することが行われているが、大きな振動を受けた場合にはベルトがずれ落ちることが多く、ラックの連結固定が十分なされていないのが現状である。
【考案の概念】
【考案が解決しようとする課題】
【０００３】  この考案は上記の事情に鑑みて行ったもので、ラックどうしの連結固定をより安定して容易に行えるラック固定ベルトを提供する。
【課題を解決するための手段】
【０００４】  第１の考案では、隣接配置されるラックそれぞれの枠材を一体に締め付け固定するラック固定ベルトであり、前記枠材に当接する側の面に滑り止め片が一体に取り付けられてなることを特徴とするラック固定ベルトを提供する。
【０００５】  上記構成によれば、ラック固定ベルトは大きな振動を受けた際にも滑り止め片があることでラックの枠材から容易にずれ落ちることはなく、これにより、ラックどうしの安定した連結固定状態が維持される。また、取り付けに際し、滑り止め片を枠材に当接させることで固定ベルトが位置ずれしにくいので、その取り付けが容易に行える。
【０００６】  滑り止め片は滑り止め機能を発揮するものであれは適宜の形態のものであってよいが、例えば、シリコンゴム等よりなる弾力性プレートにより形成されることで弾力的に密着する高い滑り止め機能が発揮されるものが得られる。さらに、滑り止め片に磁石粉が混入されて磁石性能を持つものとされることで、鉄製の枠材への密着性能がより優れるとともに、取り付ける際に鉄製の枠材へ磁着してその部分が仮固定されるので、その取り付け作業が容易になされる。
【０００７】  第２の考案では、隣接配置されるラックそれぞれの鉄製の枠材を一体に締め付け固定するラック固定ベルトであり、その一部に磁石片が一体に取り付けられてなることを特徴とするラック固定ベルトを提供する。
【０００８】  上記構成によれば、ラック固定ベルトは大きな振動を受けた際にも磁石片の磁石性能により縦枠材に安定保持され枠材から容易にずれ落ちることはなく、これにより、ラックどうしの安定した連結固定状態が維持される。また、その取り付けに際し、磁石片が枠材に磁着することでしてその部分が仮固定されるので、その取り付けが容易に行える。
【考案の効果】
【０００９】  この考案のラック固定ベルトを使用することで、地震発生時等においてもラックどうしを安定した連結固定状態に維持でき、これにより、荷崩れが回避でき、かつ、作業者の安全性も確保される。
【図面の簡単な説明】
【００１０】
【図１】  第１の考案のラック固定ベルトの実施形態の内面側図
【図２】  第１の考案のラック固定ベルトの実施形態の外面側図
【図３】  第１の考案のラック固定ベルトの使用説明図
【図４】  第１の考案のラック固定ベルトの固定状態を示す拡大図
【図５】  第２の考案のラック固定ベルトの実施形態の内面側図
【考案を実施するための形態】
【００１１】  図１は第１の考案のラック固定ベルトの実施形態の内面側図、図２は同外面側図である。ラック固定ベルト１は幅５ｃｍ、長さ４０ｃｍの布製のベルト基材３の一方端部１４に長方形の環状金具２が取り付けられ、外面６の環状金具２に隣接する側に面ファスナーの雌部４ａが、その残る部分に面ファスナーの雄部４ｂがそれぞれ縫い付けられて取り付けられ、さらに、内面５の中央より環状金属２に近い位置に８ｃｍ長さのシリコンゴムプレートよりなる滑り止め片７が縫い付けられて取り付けられている。滑り止め片７はシリコンゴムプレートに磁石粉が混入されて形成されていることで磁石性能を有する。
【００１２】  上記ラック固定ベルト１は、図３に示すように、隣接されるラック１０、１０のそれぞれを連結固定するように用いられる。すなわち、ラック１０、１０それぞれの隣接する前後の鉄製の縦枠材１１、１１を上下位置において一体に締め付け固定するように４個用いられる。図４はその固定状態を示し、固定ベルト１はその内面５側が縦枠材１１、１１それぞれの外周面に沿う状態においてその他方端部１３が一方端部１４に取り付けられた環状金具２内に挿通されて折り返され縦枠材１１、１１を一体に締め付ける状態とされ、面ファスナーの雄部４ｂが面ファスナーの雌部４ａに当接固定される。
【００１３】  上記のようにラック固定ベルト１が使用されることで、地震等により大きな振動を受けた際にも滑り止め片７がシリコンゴムプレートよりなり縦枠材１１、１１に弾力的に密着して滑ることがないので容易にずれ落ちることはなく、これにより、ラック１０、１０どうしの安定した連結固定状態が維持される。とくに、滑り止め片７が磁石性能を持つことで鉄製の縦枠材１１、１１への密着性能に優れるとともに、取り付ける際に縦枠材１１、１１へ磁着してその部分が仮固定されるので、その取り付け作業が容易になされる。
【００１４】  図５は第２の考案のラック固定ベルトの実施形態の内面側図である。ラック固定ベルト２０はベルト基材２１の全体が２層構造とされ、その略中央位置の層間に磁石片１５が内蔵されている。この固定ベル２０も第１の考案の固定ベルト１と同様に隣接されるラック１０、１０のそれぞれを連結固定するように用いられることで、地震等により大きな振動を受けた際にも磁石片１５の磁石性能により縦枠材１１、１１に安定保持され、これにより、ラック１０、１０どうしの安定した連結固定状態が維持される。磁石片１５はベルト基材２１の内部に設けられていることで外れにくいとともに見栄えも良く、また、その磁石片１５が物品や人体に衝突して物品の損傷や作業者の怪我を発生させることを回避させる。また、その取り付けに際し、磁石片１５が縦枠材１１、１１に磁着することでその部分が仮固定されるので、その取り付けが容易に行える。
【符号の説明】
【００１５】１    ラック固定ベルト
７    滑り止め片
１０  ラック
１１  縦枠材（枠材）
【図１】
0003175811.tif 000003
【図２】
0003175811.tif 000004
【図３】
0003175811.tif 000005
【図４】
0003175811.tif 000006
【図５】
0003175811.tif 000007